(57)【要約】      （修正有）【課題】薬草の治療に簡便に使用でき、保温性に優れ，かつ薬理作用を活発になし得る貼付薬剤を提供する。【解決手段】塩化ビニール製で、一面にアルミ蒸着膜１４を形成したシート１１のアルミ蒸着膜１４側の表面に粘着剤１２を添付した領域１５と粘着剤を添付しない領域１６を設け、粘着剤を設けない領域16に、備長炭粉及び薬草であるとくだみ草、タカの爪を炭化して得た炭素粉を混合してなる薬剤部18、不織布19を積層し、このシート１１の薬剤部18、不織布19及び粘着剤１２を覆う基板１３を、粘着剤12でシート１１に接着した。【選択図】図２
0003115602.tif 000002
【実用新案登録請求の範囲】
【請求項１】
気密性を有するシートの一面に粘着剤を添付した領域と粘着剤を添付しない領域とを設け、粘着剤を設けない領域に、薬草を炭化処理して得た炭素粉からなる薬剤を装着し、このシートを剥離自在に基板もしくは保持シートに接着したことを特徴とする貼付薬剤。
【請求項２】
前記薬剤の上面に不織布を積層配置したことを特徴とする請求項１記載の貼付薬剤。
【請求項３】
前記薬草の炭素粉は、どくだみ、タカの爪、備長炭を含む複数種の炭素粉を混合したものであることを特徴とする請求項１または請求項２記載の貼付薬剤。
【請求項４】
前記どくだみ、タカの爪、備長炭の配合は、重量比で  １：２〜３：５〜９の比率で配合したことを特徴とする請求項３記載の貼付薬剤。
【請求項５】
前記薬草は、タカの爪であり、炭化処理した炭素粉を硬化したものであることを特徴とする請求項1記載の貼付薬剤。
【考案の詳細な説明】
【技術分野】
【０００１】
この考案は人体の疾患部に貼着し、肩こり、腰痛、筋肉痛、冷え性等の治療を行う貼付薬剤に関する。
【背景技術】
【０００２】
従来、肩こり、腰痛、筋肉痛等の治療用の貼付薬は、薬剤添付の布材面に剥離シートを貼付し、これらを一体に積層した積層シートでなり（例えば特許文献１参照）、剥離シートと剥離し、人体の疾患部に貼着して使用される。皮膚のかぶれ、発疹,炎症等を防ぐため布材は、通気性の良い構造としている。
【０００３】
また、どくだみ草、タカの爪、ゲンノショウコ等は、古くより、腫れ物、消炎などに効く薬草として、知られている。
【特許文献１】実用新案登録第３０３６６８９号公報
【考案の開示】
【考案が解決しようとする課題】
【０００４】
どくだみ草、タカの爪などの薬草は、腫れ物、消炎などによく効くものの、患部に貼着するのに、一般人にとっては手間がかかり、面倒で有り、扱いが不便であるという、問題があった。      
【０００５】
また、上記した従来の貼付薬剤では、通気性を良くするために、布材に通気性の良いものを使用している。そのため、むれ、かぶれ等を防止できるが、患部の体温を逃がし、保温性に欠けるという問題がある。
【０００６】
この考案は、上記問題点を着目してなされたものであって、薬草を治療に簡便に使用でき、保温性に優れ、かつ薬理作用を活発になし得る貼付薬剤を提供することを目的とする。
【課題を解決するための手段】
【０００７】
この考案の貼付薬剤は、気密性を有するシートの一面に粘着剤を添付した領域と粘着剤を添付しない領域とを設け、粘着剤を設けない領域に、薬草を炭化処理して得た炭素粉からなる薬剤を装着し、このシートを剥離自在に基板もしくは保持シートに接着したことを特徴とする。
【０００８】
この考案において、前記薬剤の薬草は、例えばタカの爪を使用する。またタカの爪に加え、どくだみ、備長炭長など、複数の薬草の炭素粉を混合したものであっても良い。
【０００９】
また、この考案において、前記薬剤の上面にさらに不織布を積層配置すると良い。
【００１０】
また、この考案において、薬草を炭化処理して得た炭素粉からなる薬剤は、さらに炭素粉を硬化させたものであってもよい。
【００１１】
また、どくだみ、タカの爪、備長炭、の配合は、重量比で  １：２〜３：５〜９の比率で配合すると良い。  
【考案の効果】
【００１２】
この考案によれば、気密性を有するシートの一面に粘着剤を添付した領域と粘着剤を添付しない領域とを設け、粘着剤を設けない領域に、薬草を炭化処理して得た炭素粉からなる薬剤を装着しており、シートから基板を剥がして、粘着剤を添付した領域のみで皮膚に接着し、薬剤部を直接あるいは不織布部分を介して患部に接触させて使用するので、粘着剤による、かぶれ・むれ等の発生を小さくした上に、体温は皮膚より直接あるいは不織布を介して薬剤に達するものの、気密性シートを介して、外部に放熱することはなく、体温は、薬剤と不織布間を介して皮膚間に留熱し、体温の放熱を防止し、保温するので、薬草本来の治療効果とあいまち、薬理作用がより活発となる。そして、薬草を一般人が日常簡便に使用できる。
【考案を実施するための最良の形態】
【００１３】
以下、実施の形態により、この考案をさらに詳細に説明する。図１は、この考案の一実施形態である貼付薬剤の外観平面図、図２は図１のＡ−Ａで切断した断面図である。この貼付薬剤１は、平面視，略楕円形状をしており、楕円形状より一部外方に突出した突部２を有する。楕円形状の長径Ｌ１は５０ｍｍ、短径Ｌ２は３２ｍｍ、突部2を含む短径Ｌ３は４０ｍｍとしている。もっとも、これらの寸法は用途に応じて、適宜のものに、設定すればよい。
【００１４】
この実施形態貼付薬剤１は、塩化ビニールのシート１１に、粘着剤１２により、ポリカーボネイト製の基板１３が剥離自在に貼着されて、構成されている。シート１１の内側（基板１３側）表面にアルミ蒸着膜１４が形成されている。このアルミ蒸着膜１４によりシート１１の気密性が保たれる。
【００１５】
図３に、基板１３を剥離した状態のシート１１の内側表面を示している。シート１１には、外周部に形成した粘着剤を貼付した楕円状の領域１５と、この領域１５で囲まれ粘着剤を添付しない領域１６と、粘着剤が添付された領域１５の外側の突部２ａに形成された粘着剤を添付しない領域１７とを、備えている。
【００１６】
粘着剤を添付しない領域１６に、複数種の薬草を焼いて生成（炭化処理）した炭素粉薬剤を装着し、薬剤部１８を形成し、この薬剤部１８の外側（基板１３に接する側）をカバーして不織布１９を設けている。
【００１７】
基板１３につき、シート１１から剥離した状態の内側表面を図４に示している。基板１３の外周部の縁取り領域２０は、表面が滑らかな平面仕上げであるが、縁取り領域２０で囲まれる領域２１は、表面に凹凸のスラシを形成し、基板１３自体の強度を高めている。また、縁取り領域２０の楕円形状部より、外方に向けて突部２ｂを設けている。この基板１３の強度を大にしておくことにより、シート１１の貼着、剥離が容易となる。
【００１８】
シート11と基板１3の貼着状態では、シート11の領域１５の粘着剤と基板１３の縁取り領域２０が貼着される。貼着状態より、シート１１から基板１３を剥離する場合は、貼着されていない突部２ａ，２ｂをつまんで、シート１１と基盤３が互いに離れるように、開くことになる。
【００１９】
薬剤部１８の薬剤は、伊吹山の麓に生殖する薬草を影干しして、６００℃〜８００℃の炭焼炉で炭化処理し、炭素（カーボン）粉末化する。これによって、薬草中の漢方薬の成分をこわさずに、３種のカーボン微粉炭を混合して使用できる。薬草は、備長炭，どくだみ草、タカの爪を主成分とする。またゲンノショウコや、あるいはタカの爪の一種であるマレーシア産の胡椒（カプサイシン）を含むものでも良い。薬草類の炭素粒子化は、最終的にナノ技術により粒子径70〜１００ミクロンのものを得るものであり、古い漢方技術に最新のナノ技術で完成する。粉末化したものは、不織布１９で覆い、あるいは炭素粉を不織布１９中に浸入させ、含ませてもよい。
【００２０】
また、薬剤１８の炭素粉は、溶融剤と硬化剤とで練り合わせ、粘性のあるものとし、あるいは硬化により、固化してもよい。また、スクリーン技術を利用してシート１１上に添付しても良い。
【００２１】
どくだみ、タカの爪、備長炭の配合は、重量比で
その１；    １：３：９
その２；    １：２：６
その３；    １：３：５
の３通りを用意する。この３通りのいずれを採用するかにより、体温上昇スピードが変わるので、個人別の事情に応じて選択が可能となる。勿論、上記の配合比以外としても良いが、全体として、どくだみ、タカの爪、備長炭の配合比は、１：2〜３：５〜９の範囲に入るようにすることが望ましい。
【００２２】
この実施形態貼付薬剤１を販売する際は、図5に示すように、貼付薬剤１をそれぞれ密封用の袋２２に収納して、複数袋を１セットとする。使用に際しては、収納袋２２から貼付薬剤１を取り出して、さらに基板１３を、シート１１から剥離する。次に、基板１３を外したシート１１の不織布１９側を、図6に示すように、患部Ｍの皮膚面に圧接貼付する。
【００２３】
貼着状態で、患部より不織布１９をへて、薬剤部１８に体温が伝わる。この、体温は、シート１１のアルミ蒸着膜１４で遮蔽されることになり、シート１１の領域１６の部分で局部的に体温の外部への放熱が防止される。又、体温は、薬剤部１８と粘着剤１２、または、不織布19を介し、皮膚との間に留熱され、体温による温熱効果と共に、皮膚面からの薬理作用も温熱により活発になり、治療効果が上がる。温め効果，薬理効果により、血流をよくする。また、冷え症を軽減する。
【００２４】
図７に、上記実施形態貼付薬剤１を、腕と腰に貼着した場合の使用開始時と開始後30分のサーモグラフイによる温度変化の観測画像例を示している。図7の（ａ）は腕に貼付した場合であり、図7の（ｂ）は腰に貼付した場合の例である。図のＰ１が使用開始前の腕の画像であり，Ｐ２が30分経過後の腕の画像である。又、図のＱ１が開始前の腰の画像であり、Ｑ２が30分経過後の腰の画像である。この写真は、もともとカラー写真であり、画像P1，Ｑ１は青、緑、黄色であり、ここでは白、灰色となっている。これに対し画像Ｐ２，Ｑ２は温度上昇で赤色部分が多くなり、この図では、大部分黒くなっている。この写真により、実施形態添付薬剤１の使用で温熱効果が得られることがわかる。
【００２５】
なお、上記実施形態では、薬剤の薬草は、複数個を使用する場合について、説明したが、他の実施形態として、図８に示すように、シート１１は，円形状とし、これに応じて，粘性剤を添付する領域１５は円形リング状とし、薬剤１８を装着する領域１６も円形としている。シート１１は、図２に示すと同様にアルミ蒸着膜を形成して気密性を有する。この実施形態では、薬剤１８は、薬草として例えばタカの爪のみを使用する。この貼付薬剤では、シート１１の薬剤１８を保護するのに、シート１１に対応して一枚の基板を設け、この基板にシート１１を接着しても良いし、あるいは、例えば長方形状の保持シートを備え、この保持シートに複数枚のシート１１を添付して商品としても良い。
【図面の簡単な説明】
【００２６】
【図１】この考案の一実施形態である貼付薬剤を示す外観平面図である。
【図２】図１のＡ−Ａで切断した同実施形態貼付薬剤の断面図である。
【図３】同実施形態貼付薬剤を構成するシートの内側表面を示す平面図である。
【図４】同実施形態貼付薬剤を構成する基板の内側表面を示す平面図である。
【図５】同実施形態添付薬剤を、収納袋に収納した状態を示す概略図である
【図６】同実施形態添付薬剤を生体の患部に装着した状態を示す図である。
【図７】同実施形態貼付薬剤を腕と腰部に使用した場合の使用前と、使用開始後のサーモグラフイによる温度変化の観測例を示す画像である。
【図８】この、考案の他の実施形態である添付薬剤を構成するシートを示す平面図である。
【符号の説明】
【００２７】
１                      貼付薬剤
２                      突部
１１                    シート
１２                    粘着剤
１３                    基板
１４                    蒸着アルミシート
１５                    粘着剤添付領域
１６，１７              粘着剤非添付領域
１８                    薬剤部
１９                    不織布
２２                    収納袋
【図１】
0003115602.tif 000003
【図２】
0003115602.tif 000004
【図３】
0003115602.tif 000005
【図４】
0003115602.tif 000006
【図５】
0003115602.tif 000007
【図６】
0003115602.tif 000008
【図７】
0003115602.tif 000009
【図８】
0003115602.tif 000010